(57)【要約】【課題】比較的小さな設置スペースで、かつ音響放射方向への漏洩磁束を低減したスピーカシステムを提供すること、スピーカの音響放射側に近設された機器への漏洩磁束による影響を低減すること、簡単な構成で比較的高い防磁効果を得ること。【解決手段】スピーカシステム２は、振動板（振動体）２１６と、該振動板２１６に固定されたボイスコイル２１４が磁気ギャップ内に配置される防磁型磁気回路２１１と、振動板２１６を振動自在に支持するとともに防磁型磁気回路２１１に固定されたフレーム２１２とを備えるスピーカ２１と、スピーカ２１の口径（ＳＸ）と略同じ又は短い横幅（ＬＹ）の略箱形状に形成されるとともに、側面部２２６にスピーカ２１が取り付けられたエンクロージャ２２とを有し、スピーカ２１の音響放射側に導電性の防磁部材２３１とを有する。【選択図】  図１
2009071508.tif 000002
【特許請求の範囲】
【請求項１】
振動体と、該振動体に固定されたボイスコイルが磁気ギャップ内に配置される防磁型磁気回路と、前記振動体を振動自在に支持するとともに前記防磁型磁気回路に固定されたフレームとを備えるスピーカと、
前記スピーカの口径と略同じ又は短い横幅の略箱形状に形成されるとともに、側面部に前記スピーカが取り付けられたエンクロージャとを有し、
前記スピーカの音響放射側に導電性の防磁部材を有することを特徴とする防磁型スピーカシステム。
【請求項２】
前記防磁部材は、複数の孔部が形成された金属板であることを特徴とする請求項１に記載の防磁型スピーカシステム。
【請求項３】
前記エンクロージャは、前記スピーカに音声信号を入力する音声処理回路を内蔵し、
前記スピーカは、前記防磁型磁気回路が、前記エンクロージャ内に配置された音声処理回路に近設するとともに、前記エンクロージャの側面部に形成された開口部に前記フレームが取り付けられていることを特徴とする請求項１または請求項２に記載の防磁型スピーカシステム。
【請求項４】
前記防磁部材を保持する保持部と、前記エンクロージャの側面部に形成された被係止部に係止する係止部とを備えた取付部材を有し、
前記防磁部材は、前記取付部材により前記エンクロージャの側面部に取り付けられていることを特徴とする請求項１から請求項３のいずれかに記載の防磁型スピーカシステム。
【請求項５】
前記スピーカは、前記フレームの一部が前記エンクロージャの側面部から突出するように該エンクロージャに取り付けられていることを特徴とする請求項１から請求項４のいずれかに記載の防磁型スピーカシステム。
【請求項６】
前記防磁型磁気回路は、内磁型磁気回路と、キャンセルマグネットと、前記内磁型磁気回路および前記キャンセルマグネットを覆うシールドとを備えることを特徴とする請求項１から請求項５のいずれかに記載の防磁型スピーカシステム。
【請求項７】
前記エンクロージャの正面部に操作スイッチ又は表示部が形成されていることを特徴とする請求項１から請求項６のいずれかに記載の防磁型スピーカシステム。
【請求項８】
前記エンクロージャは、横幅が、前記スピーカの口径と略同じ又は短く且つ前記スピーカの音響放射方向の長さよりも長く、高さおよび奥行きが、前記スピーカの口径よりも長い略箱形状に形成されていることを特徴とする請求項１から請求項７のいずれかに記載の防磁型スピーカシステム。
【請求項９】
前記エンクロージャは、該エンクロージャの正面部に形成された開口部に連通する筒形状のダクトを備えることを特徴とする請求項１から請求項８のいずれかに記載の防磁型スピーカシステム。
【請求項１０】
前記スピーカは低音用スピーカであることを特徴とする請求項１から請求項９のいずれかに記載の防磁型スピーカシステム。
【請求項１１】
複数の中高音用スピーカと、外部機器とを備え、
前記スピーカは前記複数の中高音再生用スピーカとの間に配置されており、
且つ、前記外部機器に隣接して配置されていることを特徴とする請求項１から請求項１０のいずれかに記載の防磁型スピーカシステム。
【請求項１２】
前記エンクロージャは、木材にて形成されていることを特徴とする請求項１から請求項１１のいずれかに記載の防磁型スピーカシステム。
【請求項１３】
前記防磁部材は、磁性材料にて形成されていることを特徴とする請求項１から請求項１２のいずれかに記載の防磁型スピーカシステム。
【発明の詳細な説明】
【技術分野】
【０００１】
本発明は、防磁型スピーカシステムに関する。
【背景技術】
【０００２】
例えば、中高音用フロントスピーカ、アンプ内蔵のサブウーハ（低音用スピーカ）、およびモニタなどを備えるオーディオシステムが知られている。サブウーハは、規定の低音音響特性にするために、比較的大きな容量のエンクロージャを要する。また、アンプ等の音声処理回路を内蔵するサブウーハでは、エンクロージャ内部にその音声処理回路を配置するスペースを要する。
【０００３】
例えば、ホーム用のオーディオシステムでは、システムの設置スペースが限られており、サブウーハがモニタ等の電子機器の近くに配置される場合がある。しかし、スピーカの漏洩磁束が、そのスピーカに近設する機器に不具合を生じさせる場合がある。また、上記音声処理回路を内蔵するサブウーハでは、エンクロージャ内に配置されている音声処理回路に漏洩磁束が作用することにより不具合が生じる場合がある。
【０００４】
漏洩磁束を低減するために、防磁型磁気回路を備えたスピーカが知られている（例えば、特許文献１参照）。
【特許文献１】特開平７−２３１４９８号公報
【発明の開示】
【発明が解決しようとする課題】
【０００５】
ところで、スピーカシステムの防磁に関する一般的な規格（例えばＪＥＩＴＡ規格）が知られている。この規格では、音響放射方向を基準とする前後の面を除く４面から、それぞれ基準距離（３０ｍｍ）だけ離れた面における最大漏洩磁束の絶対値が、規定値（１．０ガウス）以下となるように規定されている。しかし、この規格では音響放射方向への漏洩磁束に関する規定がない。
【０００６】
例えば、サブウーハの設置スペースを低減するために、単純に、エンクロージャの横幅を狭く形成する場合、スピーカの口径より横幅を狭くすることには限界がある。
例えば、単純にエンクロージャの側面部にスピーカを設けて、エンクロージャの横幅をより狭く形成すると、一般的な防磁型スピーカでは音響放射方向への防磁対策がなされていないので、音響放射側に近設された機器に不具合が生じる虞がある。
また、エンクロージャには、鉄等の金属材料が用いられるが、金属材料を用いるとエンクロージャの重量が大きくなる問題がある。
また、大きな音圧が得られるようにスピーカを駆動させた際、スピーカの背面側（音響放射方向とは逆側）にて生じる大きな空気圧にて、エンクロージャの側面等が振動してしまう等の問題がある。特に、エンクロージャをプラスチックにて形成する場合には、エンクロージャの側面の剛性を大きくすべく、側面に沿ったリブ等の補給部を設ける必要があり、そのような複雑な形状を有するエンクロージャをプラスチックで作製することは成形上難しい。
【０００７】
本発明は、このような問題に対処することを課題の一例とするものである。すなわち、比較的小さな設置スペースで、かつ音響放射方向への漏洩磁束を低減したスピーカシステムを提供すること、スピーカの音響放射側に近設された機器への漏洩磁束による影響を低減すること、簡単な構成で比較的高い防磁効果を得ること、等が本発明の目的である。
【課題を解決するための手段】
【０００８】
このような目的を達成するために、本発明は、以下の各独立請求項に係る構成を少なくとも具備するものである。
本発明に係る防磁型スピーカシステムは、振動体と、該振動体に固定されたボイスコイルが磁気ギャップ内に配置される防磁型磁気回路と、前記振動体を振動自在に支持するとともに前記防磁型磁気回路に固定されたフレームとを備えるスピーカと、前記スピーカの口径と略同じ又は短い横幅の略箱形状に形成されるとともに、側面部に前記スピーカが取り付けられたエンクロージャとを有し、前記スピーカの音響放射側に導電性の防磁部材を有することを特徴とする。
【発明を実施するための最良の形態】
【０００９】
本発明の一実施形態に係る防磁型スピーカシステムは、振動体と、該振動体に固定されたボイスコイルが磁気ギャップ内に配置される防磁型磁気回路と、振動体を振動自在に支持するとともに防磁型磁気回路に固定されたフレームとを備えるスピーカと、スピーカの口径と略同じ又は短い横幅の略箱形状に形成されるとともに、側面部にスピーカが取り付けられたエンクロージャとを有し、スピーカの音響放射側に導電性の防磁部材を有することを特徴とする。
好適には、防磁部材は、複数の孔部が形成された金属板である。
【００１０】
上記構成の防磁型スピーカシステムでは、スピーカの口径と略同じ又は短い横幅の略箱形状に形成されるとともに、側面部にスピーカが取り付けられたエンクロージャと、スピーカの音響放射側に導電性の防磁部材を有するので、例えばスピーカが比較的大口径であっても、比較的小さな設置スペースで、かつ音響放射方向への漏洩磁束を低減することができる。また、スピーカの音響放射側に近設された機器への漏洩磁束による影響を低減することができる。また、簡単な構成で比較的高い防磁効果を得ることができる。例えば、上記防磁部材として複数の孔部が形成された金属板を採用することで、簡単に本発明に係るスピーカシステムを実現することができる。
【００１１】
以下、本発明の一実施形態に係るスピーカシステムを、図面を参照しながら説明する。
【００１２】
図１は、本発明の一実施形態に係る防磁型スピーカシステムを説明するための図である。詳細には、図１（Ａ）は防磁型スピーカシステムの斜視図であり、図１（Ｂ）は図１（Ａ）に示した防磁型スピーカシステムの分解斜視図である。図２は、図１に示したスピーカシステムを採用したオーディオシステムを説明するための斜視図である。図３は、図１に示したスピーカシステムのスピーカとエンクロージャとプロテクタの分解斜視図である。図４は、スピーカシステム２の背面側からの透視図である。図５は、図１に示したスピーカシステムの断面図である。
【００１３】
オーディオシステム１は、図１，２に示すように、エンクロージャ２２の側面部２２６に低音用防磁型スピーカ２１が設けられたアンプ内蔵のスピーカシステム２、および、２つの中高音用フロントスピーカ３（３１，３２）を有する。また、本実施形態に係るオーディオシステム１では、スピーカシステム２に近設して、外部機器４、例えばモニタ、音声再生機器、ハードディスクレコーダなどの電子機器が配置されている。詳細には、スピーカ２１の音響放音側に、外部機器４が配置されている。スピーカシステム２は、本発明に係るスピーカシステムの一実施形態に相当する。外部機器４は、例えば、スピーカ２，３に導電線で接続されている。
【００１４】
本実施形態では、図１，２に示すように、略中央部に外部機器４のモニタが配置され、その両隣には、中高音用スピーカ３（３１，３２）が配置されている。中高音用スピーカ３の間には低音用スピーカを備えたスピーカシステム２が配置されている。
【００１５】
［スピーカシステム２］
図１，２に示すように、スピーカシステム２は、スピーカ２１、エンクロージャ２２、およびプロテクタ２３を有する。プロテクタ２３は、防磁部材２３１を備える。スピーカ２１は本発明に係るスピーカの一実施形態に相当し、エンクロージャ２２は本発明に係るエンクロージャの一実施形態に相当し、プロテクタ２３および防磁部材２３１は本発明に係る防磁部材の一実施形態に相当する。
【００１６】
本実施形態に係るスピーカシステム２は、箱形状に形成されたエンクロージャ２２の側面部２２６にスピーカ２１が備えられており、スピーカ２１の音響放射方向ＳＤが、正面に対して略直交する方向に規定されている。また、スピーカシステム２のエンクロージャ２２は、スピーカ２１に音声信号を入力する回路、例えばアンプ（音声信号増幅回路）、エフェクタ、サラウンド処理回路などの音声信号に関する処理を行う音声処理回路２２４を内蔵している。
また、スピーカシステム２のエンクロージャ２２の正面部２２１には、例えばアンプや音声処理回路などを操作するための操作スイッチ２２２、操作ボタン、電源スイッチ、などの操作パネルや表示部が形成されている。これらスイッチや電源スイッチなどの端子部は、音声処理回路に接続されている。
【００１７】
また、本実施形態に係るスピーカシステム２は、位相反転型エンクロージャ（バスレフ型のエンクロージャともいう）を採用している。詳細には、図４に示すように、スピーカシステム２のエンクロージャ２２は、エンクロージャの正面部２２１に形成された開口部に連通する筒形状のダクト２２３が設けられている。
上記構成のスピーカシステム２では、スピーカ２１から音響放音側に対して反対方向に放射された音響信号が、ヘルムホルツ共鳴等によりダクト２２３を介してスピーカシステム２の正面側に放射される。
【００１８】
以下、スピーカシステム２の各構成要素を説明する。
［スピーカ２１］
スピーカ２１は、例えば図１，３〜５に示すように、防磁型磁気回路２１１、フレーム２１２、ボイスコイルボビン２１３、ボイスコイル２１４、ダンパ２１５、振動板２１６、エッジ２１７、固定部材２１８を有する。
防磁型磁気回路２１１は、本発明に係る防磁型磁気回路の一実施形態に相当し、フレーム２１２は本発明に係るフレームの一実施形態に相当する。ボイスコイル２１４は本発明に係るボイスコイルの一実施形態に相当し、振動板２１６は本発明に係る振動体の一実施形態に相当する。
【００１９】
防磁型磁気回路２１１は、音響放射方向ＳＤに対して直交する方向、および音響放射方向ＳＤに対して反対方向への漏洩磁束を低減する防磁構造を有する。詳細には、本実施形態に係る防磁型磁気回路２１１は、内磁型磁気回路であり、マグネット２１１１、ヨーク２１１２、プレート２１１３、キャンセルマグネット２１１４、およびシールド２１１５を有する。ヨーク２１１２と、プレート２１１３の間には、磁気ギャップが形成されている。
【００２０】
マグネット２１１１は、例えば板状に形成されており、音響放射方向に沿って着磁されている。マグネット２１１１は、例えば、ネオジウム系、サマリウム・コバルト系、フェライト系、アルニコ系等の公知の材料を含む永久磁石である。
ヨーク２１１２は、例えば断面Ｕ字形状に形成されており、底部上にマグネット２１１１が配置されている。ヨーク２１１２は、例えば鉄、合金、金属材料、磁性体等の公知の材料により形成されている。
プレート２１１３は、例えば板状に形成されており、マグネット２１１１上に配置されている。プレート２１１３は、例えば、鉄、合金、金属材料、磁性体等などの公知の材料により構成される。
キャンセルマグネット２１１４は、ヨーク２１１２を介してマグネット２１１１の音響放射方向の逆方向側に配置されている。また、キャンセルマグネット２１１４は、マグネット２１１１の着磁方向と逆方向となるように着磁されている。
シールド２１１５は、例えば導電材料からなり、図４，５に示すように、ヨーク２１１２を含む内磁型磁気回路とキャンセルマグネット２１１４を取り囲むように略断面Ｕ字形状に形成されている。
【００２１】
上記構成の防磁型磁気回路２１１は、例えばマグネット２１１１の着磁方向に対して反対方向となるように着磁されたキャンセルマグネット２１１４と、マグネット２１１１、ヨーク２１１２、およびプレート２１１３を取り囲むように形成されたシールド２１１５とを有するので、音響放射方向以外の方向への漏洩磁束を低減することができる。
【００２２】
上述した実施形態では、防磁型磁気回路２１１として内磁型磁気回路を採用したが、この形態に限られるものではない。例えば防磁型磁気回路２１１はリング状マグネットを備える外磁型磁気回路であってもよく、この場合、キャンセルマグネットやシールドは、リング状マグネットに対応した形状に形成されることが好ましい。
【００２３】
フレーム２１２は、略円錐形状に形成されており、振動体を振動自在に支持するとともに磁気回路２１１に固定されている。詳細には、フレーム２１２は、音響放射側の外周端部２１２１が、エンクロージャ２２の開口端部に、例えばボルトとネジ等の固定部材２１８により固定されており、外周端部２１２１の内周部には、エッジ２１７を介して振動板２１６の外周端部が振動自在に固定されている。また、本実施形態に係るフレーム２１２は、他端部２１２２が磁気回路２１１に固定されている。また、フレーム２１２の中央平坦部２１２３にはダンパ２１５の外周部が接着剤などにより固定されている。
【００２４】
ボイスコイルボビン２１３は、防磁型磁気回路２１１の磁気ギャップ内に振動自在に固定されており、音響放射側端部付近に、コーン形状の振動板２１６の内周端部や、ダンパ２１５の内周端部が固定され、他方の端部にはボイスコイル２１４が巻回されて配置されている。このボイスコイル２１４は、磁気ギャップ内に振動自在に規定位置に配置されている。
【００２５】
［エンクロージャ２２］
エンクロージャ２２は、内部が中空の略箱形状に形成されている。また、本実施形態に係るエンクロージャ２２は、高さ（ＬＺ）と奥行き（ＬＸ）がスピーカ２１の口径（ＳＸ）より大きく、横幅（ＬＹ）がスピーカ２１の口径（ＳＸ）と略同じ長さ又は短い形状に形成されている。また、エンクロージャ２２は横幅（ＬＹ）が、スピーカ２１の音響方向に沿った長さ（Ｙ軸方向の長さ）ＳＹより長い。
エンクロージャ２２は、上述したように、内部に音声処理回路２２４が配置されており、その回路２２４の周囲は、導電材料のシールド２２５により囲まれている。詳細には、この音声処理回路２２４を、図４に示すように、スピーカ２１の音響放射側に対して反対側に位置するように近設することで、エンクロージャ２２の横幅ＬＹを比較的小さくすることができる。
【００２６】
また、エンクロージャ２２は、図３に示すように、側面部２２６に開口部２２７が形成されており、その開口部２２７にスピーカ２１が嵌合するように形成されている。
また、本実施形態に係るエンクロージャ２２は、例えば、スピーカ２１の口径ＳＸに対して、比較的小さな横幅となるように形成されている。このため、スピーカ２１の一部、詳細にはスピーカ２１のフレーム２１２の一部が、エンクロージャ２２の側面部２２６の表面側に突出するように配置されている。
上記構成のスピーカシステム２は、スピーカ２１の背面側に回路２２４が配置されており、且つ比較的小さい横幅（ＬＹ）とすることができる。
【００２７】
また、エンクロージャ２２は、例えば、木材、樹脂、鉄などの金属、など公知の材料により形成されている。特に木材を用いることにより、エンクロージャ２２の重量を低減することが可能になる。また、例えば、スピーカ２１から大きな音圧が得られるように駆動した際、スピーカ２１の背面側における空気圧の影響により、エンクロージャ２２の側面部に振動等が発生することを、例えばエンクロージャ２２の側面部の厚みを大きくし剛性を大きくすることにより抑止することができる。また、金属材料やプラスチックを用いる場合、複雑な形状を有するエンクロージャを形成することは難しいが、木材であれば、容易に形成することが可能となる。
【００２８】
［プロテクタ２３］
プロテクタ２３は、スピーカ２１の音響放音側に配置されており、スピーカ２１を保護する。詳細には、プロテクタ２３は、防磁部材２３１、防護ネット２３２、および取付部材（フレームともいう）２３３を有する。
【００２９】
図６は、図１に示した防磁部材２３１を説明するための図である。詳細には、図６（Ａ）は防磁部材２３１の正面図であり、図６（Ｂ）は図６（Ａ）に示した防磁部材２３１の断面図である。
【００３０】
防磁部材２３１は、例えば、鉄などの導電材料、磁性材料（強磁性体、常磁性体、反磁性体）により構成されており、スピーカ２１の音響放音側に配置される。本実施形態に係る防磁部材２３１としては、例えば直径数ミリ程度の円形状、楕円形状、矩形状などの任意形状の複数の孔部２３１Ａが形成された金属板を採用することができる。防磁部材２３１としては、例えばパンチングネットを採用してもよい。
防磁部材２３１は、例えば図６（Ａ），（Ｂ）に示すように、漏洩磁束の時間変化に応じて渦状の誘導電流が生じる。この誘導電流により生じる磁束（点線で示す）は、漏洩磁束を打ち消し合う、又は漏洩磁束を低減する。
本実施形態に係るスピーカシステム２では、防磁部材２３１を、スピーカ２１の音響放射側に設けたので、スピーカ２１の音響放射方向ＳＤへの漏洩磁束を低減することができる。
【００３１】
防護ネット２３２は、例えば、サラン繊維（ポリ塩化ビニリデン系合成繊維）などの合成繊維の織布であり、スピーカ２１の音響放音側に配置される。本実施形態では防護ネット２３２とスピーカ２１の間に防磁部材２３１が配置されている。
【００３２】
フレーム２３３は、防磁部材２３１や防護ネット２３２を、スピーカ２１を音響放射側の規定位置に配置する。また、フレーム２３３は、例えば図５に示すように、防磁部材２３１を保持する保持部２３３１が形成されている。本実施形態に係るフレーム２３３は、凹形状の保持部２３３１に、防磁部材２３１の外周端部が嵌合することにより保持されている。
また、フレーム２３３は、外周端部のエンクロージャ２２に接触部に係止部２３３２が形成されており、この係止部２３３２が、エンクロージャ２２に形成された被係止部２２Ａに係止することにより、プロテクタ２３がエンクロージャ２２に固定される。本実施形態に係るフレーム２３３は、凸形状の係止部２３３２が形成されており、エンクロージャ２２に形成された貫通孔の被係止部２２Ａに係止する。この際、係止部２３３２の先端部はネジによる固定構造を有してもよいし、弾性変形可能に形成して固定するような固定構造を有してもよい。
【００３３】
また、フレーム２３３の防磁部材２３１の取付け構造は、上記構成に限られるものではない。例えばフレーム２３３の内周端部に段形状部を形成して、その段形状部に防磁部材２３１を取り付ける構造としてもよい。
【００３４】
上記構成のスピーカシステム２では、防磁部材２３１を含むプロテクタ２３を、エンクロージャ２２に取り付けることで、簡単にスピーカ２１の音響放射側に防磁部材２３１を配置することができる。
【００３５】
以上、説明したように、本発明に係るスピーカシステム２は、振動板（振動体）２１６と、該振動板２１６に固定されたボイスコイル２１４が磁気ギャップ内に配置される防磁型磁気回路２１１と、振動板２１６を振動自在に支持するとともに防磁型磁気回路２１１に固定されたフレーム２１２とを備えるスピーカ２１と、スピーカ２１の口径（ＳＸ）と略同じ又は短い横幅（ＬＹ）の略箱形状に形成されるとともに、側面部２２６にスピーカ２１が取り付けられたエンクロージャ２２とを有し、スピーカ２１の音響放射側に導電性の防磁部材２３１とを有するので、例えば、スピーカ２１が比較的大口径であっても、比較的小さな設置スペースで、かつ音響放射方向への漏洩磁束を低減することができる。
また、スピーカ２１の音響放射側に近設された機器への漏洩磁束による影響を低減することができる。
また、簡単な構成で比較的高い防磁効果を得ることができる。
【００３６】
つまり、本発明に係るスピーカシステム２は、エンクロージャ２２内部には、音声処理回路を収納する容積と、スピーカの背面容積とを充分に確保することができる。
【００３７】
また、スピーカシステム２は、防磁部材２３１として、複数の孔部２３１Ａが形成された金属板を採用することで、簡単に本発明を実現することができる。
【００３８】
また、スピーカシステム２は、エンクロージャ２２が，スピーカ２１に音声信号を入力する音声処理回路２２４を内蔵し、防磁型磁気回路２１１が、エンクロージャ２２内に配置された音声処理回路２２４に近設するとともに、エンクロージャ２２の側面部２２６に形成された開口部２２７にフレーム２１２が取り付けられているので、エンクロージャ２２に音声処理回路２２４の配置スペースが十分に確保されるとともに、比較的小さな設置スペースとなり、音声処理回路２２４への漏洩磁束の影響を低減することができる。
【００３９】
またスピーカシステム２は、防磁部材２３１を保持する保持部２３３１と、エンクロージャ２２の側面部２２６に形成された被係止部２２Ａに係止する係止部２３３２とを備えた取付部材（フレーム）２３３を有し、防磁部材２３１は、取付部材２３３によりエンクロージャ２２の側面部２２６に取り付けられているので、簡単に、上記発明を実現することができる。
【００４０】
また、本発明に係るスピーカシステム２では、フレーム２３３の一部がエンクロージャ２２の側面部２２６から突出するように、スピーカ２１が、該エンクロージャ２２に取り付けられているので、より横幅を狭いスピーカシステム２を提供することができる。
【００４１】
また、スピーカシステム２は、防磁型磁気回路２１１は、内磁型磁気回路と、ヨーク２１１２を介してマグネット２１１１の音響放射方向の逆方向に配置されたキャンセルマグネット２１１４と、内磁型磁気回路およびキャンセルマグネット２１１４を覆うシールド２１１５とを備えるので、簡単な構成で、エンクロージャ２２内の音声処理回路２２４への漏洩磁束の影響を低減することができる。
【００４２】
また、スピーカシステム２では、エンクロージャ２２は、横幅が、前記スピーカ２１の口径と略同じ又は短く且つスピーカ２１の音響放射方向の長さよりも長く、高さおよび奥行きが、スピーカ２１の口径よりも長い略箱形状に形成されているので、エンクロージャ２２の設置スペースが比較的小さくなる。
【００４３】
また、本実施形態に係るスピーカシステム２は、エンクロージャが、該エンクロージャの正面部に形成された開口部に連通する筒形状のダクトを備えるので、スピーカシステム２の正面側にも、特に低音域にて比較的大きい音圧の再生音を提供することができる。
【００４４】
本発明は、上記実施形態に限られるものではない。各種形態により本発明を実施してもよい。
上記実施形態では、防磁型磁気回路として内磁型磁気回路を採用したが、この形態に限られるものではない。例えば、スピーカシステム２は、防磁型の外磁型磁気回路を採用してもよい。
また、コーン形状の振動板２１６を採用したが、この形態に限られるものではない。
また、スピーカシステム２を採用したオーディオシステム１は、この形態に限られるものではない。
また、上述した実施形態では、スピーカシステム２は、箱形状に形成されたエンクロージャを備えていたが、この形態に限られるものではない。スピーカシステム２は、例えば円筒形状、多角形状、など任意の形状に形成されていてもよく、スピーカ２１およびプロテクタ２３は、それらエンクロージャの形状に応じて、任意の側面に設けられてもよい。
また、エンクロージャ２２に木材を用いることにより、エンクロージャ２２の重量を低減することが可能になる。また、例えば、スピーカ２１から大きな音圧が得られるように駆動した際、スピーカ２１の背面側における空気圧の影響により、エンクロージャ２２の側面部に振動等が発生することを、例えばエンクロージャ２２の側面部の厚みを大きくし剛性を大きくすることにより抑止することができる。また、金属材料やプラスチックを用いる場合、複雑な形状を有するエンクロージャを形成することは難しいが、木材であれば、容易に形成することが可能となる。
また、エンクロージャ２２が木材にて形成されている場合には、金属材料で形成されているエンクロージャと比較して、側面部における防磁効果が低下するという問題がある。そこで、スピーカ２１の音響放射側に導電性の防磁部材２３１を設けることで、側面部における防磁効果を向上させることが可能となる。
【００４５】
また、プロテクタ２３は、サランネットの骨組み部分中央部に、金属製のパンチングネット取付用の段差を設け、パンチングネットがスピーカ２１のボイスコイルネックの前面側に配置される構造としてもよい。
【００４６】
また、プロテクタ２３として、サランネットのグリルを設けたが、この形態に限られるものではなく、例えば、プロテクタ２３全体を金属製パンチングメッシュにすることで、同様の防磁効果を得ることができる。
【００４７】
また、上述した実施形態ではプロテクタ２３が、エンクロージャ２２に固定される構成であったが、この形態に限られるものではない。例えば、プロテクタ２
３はスピーカ２１のフレームに取り付けられてもよい。
【００４８】
また、上述した実施形態ではスピーカシステム２をサブウーハや低音用スピーカに適用したが、この形態に限られるものではない。例えば、高音用スピーカや中音用スピーカを備えるスピーカシステムに適用してもよい。
【図面の簡単な説明】
【００４９】
【図１】本発明の一実施形態に係る防磁型スピーカシステムを説明するための図であり、（Ａ）は本発明の一実施形態に係る防磁型スピーカシステムの斜視図であり、（Ｂ）は（Ａ）に示した防磁型スピーカシステムの分解斜視図である。
【図２】図１に示したスピーカシステムを採用したオーディオシステムを説明するための斜視図である。
【図３】図１に示したスピーカシステムのスピーカとエンクロージャとプロテクタの分解斜視図である。
【図４】スピーカシステムの背面側からの透視図である。
【図５】スピーカシステムの断面図である。
【図６】図１に示した防磁部材を説明するための図であり、（Ａ）は防磁部材の正面図であり、（Ｂ）は（Ａ）に示した防磁部材の断面図である。
【符号の説明】
【００５０】
１  オーディオシステム
２  スピーカシステム（アンプ内蔵の低音用防磁型スピーカ）
３  スピーカ（中高音用スピーカ）
４  外部機器
２１  スピーカ（低音用防磁型スピーカ）
２２  エンクロージャ
２３  プロテクタ
３１  スピーカ（中高音用スピーカ）
２１１  磁気回路（防磁型磁気回路）
２１２  フレーム
２１３  ボイスコイルボビン
２１４  ボイスコイル
２１５  ダンパ
２１６  振動板
２１７  エッジ
２１８  固定部材
２２１  正面部
２２２  操作スイッチ
２２３  ダクト
２２４  音声処理回路（回路）
２２５  シールド
２２６  側面部
２２７  開口部
２３１  防磁部材（パンチングネット）
２３２  防護ネット
２３３  取付部材（フレーム）
２１１１  マグネット
２１１２  ヨーク
２１１３  プレート
２１１４  キャンセルマグネット
２１１５  シールド
【図１】
2009071508.tif 000003
【図２】
2009071508.tif 000004
【図３】
2009071508.tif 000005
【図４】
2009071508.tif 000006
【図５】
2009071508.tif 000007
【図６】
2009071508.tif 000008